(57)【要約】【課題】極めて構造が簡単で、かつ製造が容易な支持具によって、捨てコンクリート用桟木を容易に設置できるようにする。【解決手段】真直部１１に桟木支持アーム１２を上向きに結合した第１の支持具１を約２メーター間隔で打ち込み、この桟木支持アームを同一高さに揃えて桟木３を挟み込む。次に真直部２１に桟木押さえアーム２２を下向きに結合した第２の支持具２を、第１の支持具１の間に打ち込み、この桟木押さえアームに桟木３を挟み込んで上から押さえる。このようにして極めて構造が簡単でかつ製造が容易な支持具により捨てコンクリート用桟木を容易に設置できる。【選択図】    図７
2004263411.tif 000002
【特許請求の範囲】
【請求項１】
真直部（１１）と桟木支持アーム（１２）とを有し、
上記桟木支持アーム（１２）の一辺（１２ａ）は、他辺（１２ｃ）が上向きになるようにこの真直部の側面に結合されていることを特徴とする捨てコンクリート用桟木の支持具。
【請求項２】
第１の支持具（１）と第２の支持具（２）とを備え、
上記第１の支持具（１）は、真直部（１１）と桟木支持アーム（１２）とを有し、
上記桟木支持アーム（１２）の一辺（１２ａ）は、他辺（１２ｃ）が上向きになるようにこの真直部に結合され、
上記桟木支持アーム（１２）の他辺（１２ｃ）は、上記真直部（１１）の対向する部分（１１ａ）の長さより短く形成してあって、
上記第２の支持具（２）は、真直部（２１）と桟木押さえアーム（２２）とを有し、上記桟木押さえアーム（２２）の一辺（２２ａ）は、他辺（２２ｃ）が下向きになるようにこの真直部に結合され、
上記桟木押さえアーム（２２）の一辺（２２ａ）は、上記真直部（２１）の上端面（２１ｂ）より下方位置で結合していることを特徴とする捨てコンクリート用桟木の支持具。
【請求項３】
請求項１〜２のいずれかにおいて、前記第１の支持具（１）の桟木支持アーム（１２）の一辺（１２ａ）の長さは、所定の桟木（３）の横幅に対応する寸法に形成してあり、他辺（１２ｃ）の長さは、この桟木部材の高さに対応する寸法に形成してあることを特徴とする捨てコンクリート用桟木の支持具。
【請求項４】
請求項１〜３のいずれかの１において、前記真直部（１１，２１）は鉄筋部材からなり、前記桟木支持アーム（１２）と桟木押さえアーム（２２）とは、鉄製の棒状部材とからなり、それぞれを互いに溶接によって結合してあることを特徴とする捨てコンクリート用桟木の支持具。
【請求項５】
請求項１〜４のいずれかの１に記載した第１の支持具（１）を、所定の間隔を隔てて高さが一様になるように一列配列して地面に打込む第１の工程と、
上記第１の支持具（１）の桟木支持アーム（１２）に桟木（３）を挟み込んで装着する第２の工程と、
請求項２〜４のいずれかの１に記載した第２の支持具（２）を、配列した上記第１の支持具（１）の間の所定の位置において、前記桟木押さえアーム（２２）が上記桟木（３）を上から挟み込むようにして地面に打ち込む第３の工程とを有することを特徴とする捨てコンクリート用桟木の設置方法。
【発明の詳細な説明】
【０００１】
【発明の属する技術分野】
建築物の基礎を施工する前の捨てコンクリート用桟木の支持具と、捨てコンクリート用桟木の設置方法に関する。
【０００２】
【従来の技術】
従来より住宅等を建てる際には、図９〜図１０に示すように、先ず宅地等を所定の深さまで堀削し、地ならしをした上で割栗３０５等の地業を行い、その上に所定の厚みの捨てコンクリート３０４を打つことが行われている。しかるに捨てコンクリート３０４は、建築物のべた基礎やフーチング基礎を施工する場合の水平な基準面を確保することを主要な目的としているため、表面を水平に形成する必要がある。このため、捨てコンクリート３０４を打つ範囲の周囲を桟木３０３で取り囲み、この桟木の上端面が同じ高さになるように杭３０６で支持し、この桟木の上端面に合わせて捨てコンクリートを打つことで、水平面を出すようにしている。
【０００３】
ところで桟木３０３を所定の高さにおいて水平に支持する手段として、従来は、図１１に示すように、桟木３０３を釘３０８やワイヤ３０９によって、杭３０６、３０７に固定する方法が用いられている。また従来から、捨てコンクリート用桟木を支持する種々の支保工が提供されている（例えば、特許文献１参照）。
【特許文献１】
特開平１１−００６１６１号公報（第４−５頁、図１）
【０００４】
【発明が解決しようとする課題】
しかし図１１に示すような桟木を釘やワイヤで杭に固定する手段は、取り付けおよび取り外しに多くの手間がかかる。また桟木を杭に水平に固定することは必ずしも容易でなく、桟木を所定の高さに水平に支持するために、さらに多くの手間が掛かっていた。また桟木を釘で固定する場合は、木製の杭を使用することになるため、使用に際して、釘止め部分や、地中に打ち込む先端部分や、ハンマーが当たる上端面が摩滅し、せいぜい１〜２回の使用毎に、新たな杭を準備交換する必要があった。
【０００５】
また従来から提供されているコンクリートの枠型を支持する支保工は、いずれも簡単な構造ではなく、製造コストも高く、使用方法もそれほど簡単ではない。この理由としては、建築物の基礎を施工するための前工程であるためか、捨てコンクリート用桟木の支持を、直接の対象とはしていないことが考えられる。
【０００６】
そこで発明の目的は、極めて構造が簡単で、製造および取り扱いが容易な捨てコンクリート用桟木の支持具と、捨てコンクリート用桟木の設置方法を提供することにある。
【０００７】
【課題を解決するための手段】
上記課題を解決すべく、本発明による捨てコンクリート用桟木の支持具の第１の特徴は、真直部と桟木支持アームとを有し、この桟木支持アームの一辺は、他辺が上向きになるようにこの真直部の側面に結合されていることにある。また本発明による捨てコンクリート用桟木の支持具の第２の特徴は、真直部材に桟木支持アームを上向きに結合した第１の支持具と、桟木押さえアームを下向きに結合した第２の支持具とのセットからなることにある。
【０００８】
この第１の支持具は、真直部と桟木支持アームとを有し、この桟木支持アームの一辺は、他辺が上向きになるように真直部に結合されている。またこの桟木支持アームの他辺は、真直部の対向する部分の長さより短く形成してある。一方、第２の支持具は、真直部と桟木押さえアームとを有し、この桟木押さえアームの一辺は、他辺が下向きになるように真直部に結合されている。またこの桟木押さえアームの一辺は、真直部の上端面より下方位置で結合してある。
【０００９】
このように発明を構成することにより、次の作用効果を得ることができる。すなわち第１に、真直部とこれに結合したアームとだけで構成されるので、構造が極めて簡単であり、わずかなコストで大量生産が可能になる。第２に、第１の支持具を、所定の間隔を隔てて、かつ桟木支持アームの上端面の高さを合わせつつ地面に一列に打ち込んだ後で、桟木をこの桟木支持アームにはめ込むだけで、この桟木を水平に支持することができる。そして第２の支持具を適宜打ち込んで、桟木押さえアームを上方から桟木にはめ込んで押さえるだけで、この桟木が上方にずれるのを防止することができる。したがって、従来のように桟木を、釘やワイヤで一々杭に固定する手間が無用となり、取り扱いが極めて容易となる。
【００１０】
第３に、桟木支持アームと桟木押さえアームとは、いずれも真直部の上端面より下方に位置しているので、ハンマーで真直部の上端面を打ち込むときに、この桟木支持アームや桟木押さえアームを損傷させることを回避できる。第４に、コンクリートの施工後は、第２の支持具、桟木、および第１の支持具を、この順序で抜き取るだけで、これらを取り外すことができ、何度でも再利用することができる。
【００１１】
本発明による捨てコンクリート用桟木の支持具の第３の特徴は、前記特徴１〜２のいずれかに記載した第１の支持具の桟木支持アーム一辺の長さは、所定の桟木の横幅に対応する寸法に形成され、他辺の長さは、この桟木部材の高さに対応する寸法に形成してあることにある。
【００１２】
すなわちこのように第１の支持具の桟木支持アームを形成すれば、桟木支持アームの上端部がそれぞれ同一水平面になるように、この第１の支持具を打ち込むだけで、桟木を取付ける前に、この桟木の水平位置を予め設定することができる。またこの桟木支持アームの上端部と、割栗等の地業表面との間が所定の距離になるようにこの第１の支持具を打ち込むことにより、その後に施工するコンクリートの厚さと水平位置とを設定することができる。さらに第１の支持具の桟木支持アームの一辺の長さを、所定の桟木の横幅に対応する寸法とすることにより、桟木の取付け取り外しが容易になり、かつ桟木の横ぶれを押さえることができる。なお、第２の支持具の桟木押さえアームは、第１の支持具に取付けた桟木が、上方に浮き上がるのを防止するものであるため、この桟木押さえアームは、桟木を楽に挟みこめる寸法であれば足りる。
【００１３】
本発明による捨てコンクリート用桟木の支持具の第４の特徴は、前記特徴１〜３のいずれかの１に記載した真直部は、鉄筋部材からなり、桟木支持アームと桟木押さえアームとは、それぞれ鉄製の棒状部材とからなり、それぞれを溶接によって結合してあることにある。
【００１４】
すなわちこのように発明を構成すれば、素材を安くかつ容易に調達することができ、極めて少ないコストで製造できる。また必要に応じて、工事現場等で廃材等を利用して短時間で製造することも可能となる。
【００１５】
本発明による捨てコンクリート用桟木の設置方法の第１の特徴は、前記特徴１〜４のいずれかの１に記載した第１の支持具を、所定の間隔を隔てて高さが一様になるように一列配列して地面に打込む第１の工程と、この第１の支持具の桟木支持アームに桟木を挟み込んで装着する第２の工程と、前記特徴２〜４のいずれかの１に記載した第２の支持具を、配列した第１の支持具の間の所定の位置において、その桟木押さえアームが桟木を上から挟み込むようにして地面に打ち込む第３の工程とを有することにある。
【００１６】
このように発明を構成することで、上述したように、桟木を容易かつ正確に、所定の位置で水平に設置することができる。
【００１７】
【発明の実施の形態】
図１〜図２を参照しつつ、本発明による捨てコンクリート用桟木の支持具の構成を説明する。捨てコンクリート用桟木の支持具は、第１の支持具１と、第２の支持具２とを備えている。
【００１８】
第１の支持具１は、鉄筋部材からなる真直部１１と、鉄製の棒状部材から形成した桟木支持アーム１２とを有している。そして桟木支持アーム１２の一辺１２ａの端部１２ｂは、他辺１２ｃが真直部１１と平行であって、かつ上向きになるようにこの真直部に溶接結合されている。また桟木支持アーム１２の他辺１２ｃは、真直部１１の対向する部分１１ａの長さより短く形成してあり、この上端面１２ｄが、この真直部の上端面１１ｂより、低い位置になるようにしてある。したがって、真直部１１の上端面１１ｂをハンマー等で打ち込む際に、桟木支持アーム１２の上端面１２ｄが、ハンマー等が当たって損傷することを防止できる。
【００１９】
一方、第２の支持具２は、鉄筋部材からなる真直部２１と、鉄製の棒状部材から形成した桟木押さえアーム２２とを有している。桟木押さえアーム２２の一辺２２ａの端部２２ｂは、他辺２２ｃが真直部２１と平行であってかつ下向きになるようにこの真直部に溶接結合されている。そして第２の支持具２の桟木押さえアーム２２の一辺２２ａは、真直部２１の上端面２１ｂより下方位置で溶接してある。
【００２０】
ところで第１の支持具１の桟木支持アーム１２と、第２の支持具２の桟木押さえアーム２２とは、共に代表的な桟木３の寸法に対応させるために、一辺１２ａ，２２ａの長さを略２５ミリメータに、他辺１２ｃ，２２ｃの長さを略５０ミリメータにしてある。また、第１の支持具１及び第２の支持具２の真直部１１，２１の先端部１１ｃ，２１ｃは、共に地面に打ち込み易くするために、先端が鋭角になるように斜めに切り欠いてある。
【００２１】
図３〜図４に、他の実施の形態を示す。すなわち第１の支持具１０１及び第２の支持具１０２の桟木支持アーム１１２と、桟木押さえアーム１２２とは、その一辺１１２ａ，１２２ａの端部において、それぞれ他辺１１２ｃ，１２２ｃと平行になるような折り曲げ部１１２ｅ，１２２ｅが形成してあり、この折り曲げ部と真直部１１１，１２１とが、溶接結合してある。このように構成することによって、溶接ビードを長くすることができるため、溶接部分の強度を高めることができる。また図５に示すように、それぞれの真直部１１１，１２１の先端部１１１ｃ，１２１ｃは、ハンマーで等で平たく叩き伸ばしてある。
【００２２】
このように先端部１１１ｃ，１２１ｃを、平たく叩き伸ばすことによって、次の作用効果を得ることができる。すなわち、桟木を桟木支持アーム１１２及び桟木押さえアーム１２２に取付けたときに、この桟木の横幅が小さいと、この桟木支持アーム等との間に水平方向の隙間が生じ、桟木の水平方向の位置がずれてしまい、また上方にずれ易くなる。そこでこのような場合には、第１の支持具１０１及び第２の支持具１０２を少し回転させることによって、この水平方向の隙間を無くすことができる。この場合に、先端部１１１ｃ，１２１ｃが、平たく叩き伸ばしてあると、地面との回転抵抗が増して、第１の支持具１０１が逆回転して戻るのを防止できる。また、先端が丸いので危険性が少なくなり、磨耗もし難くなる。
【００２３】
次に図６〜図７を参照しつつ、上述した支持具を用いた捨てコンクリート用桟木の設置方法を説明する。すなわち、先ず宅地等を所定の深さまで掘削し、ローラー等で地ならしをした上で、所定の厚さに割栗５等を敷き詰めて、再度ローラー等で表面を平坦に敷き固める。次に第１の支持具１を、２メータ程度の間隔毎で、割栗５等を置いた領域の周囲に、ハンマー等で打ち込む。このとき桟木支持アーム１２の一辺１２ａが、割栗５の表面に接触し、かつ他辺１２ｃの上端面１２ｄがほぼ同一水平位置になるように、第１の支持具１を打ちこむ。次に桟木支持アーム１２に桟木３を挿入して設置する。なお、桟木支持アーム１２と桟木３との間に水平方向の間隙が生じるときには、この間隙が無くなるまで、第１の支持具１を回転させる。
【００２４】
そして第１の支持具１の間であって、かつ３つ置き程度に、第２の支持具２を打ち込み、桟木３を桟木押さえアーム２２に挟み込んで、この桟木押さえアームの一辺２２ａが、この桟木の上面に接触するまで、さらにこの第２の支持具を打ち込む。次にレベル水準器等の水平測量器を用いて、桟木３の水平度をチェックし、必要に応じて、第１の支持具１と、第２の支持具２の打ち込み高さを微調整する。
【００２５】
以上により捨てコンクリート用桟木の設置が完了する。したがって次に、桟木３の上面に一致するまで、捨てコンクリート４を打ち込む。そして、捨てコンクリート４が固まった後に、第２の支持具２、桟木３、及び第１の支持具１を、この順序で取り外す。
【００２６】
図８に示すように、本発明による捨てコンクリート用桟木の支持具は、段差のある捨てコンクリート４１，４２を施工する場合にも使用することができる。すなわち、上述した手段により、第１の捨てコンクリート４１を施工し、次にこの第１の捨てコンクリートが固まらない内に、この第１の捨てコンクリートに、第１の支持具１、桟木３と、第２の支持具２とを、この順序で取付け、第２の捨てコンクリート４２を施工する。但し第１の捨てコンクリート４１に打ち込んだ第１の支持具１と、第２の支持具２とは、グラインダ等で切断して、桟木３を取り外す必要があるが、もともと製造コストが極めて低いものであるため、工事費用には影響がない。
【００２７】
なお第１の支持具１と、第２の支持具２とは、鉄製の部材を溶接結合する場合に限らず、その他の金属を結合したものや、剛性の高いプラスチックで一体成形したものであってもよい。また、丸棒の部材に限らず、四角等の多角形の部材を使用しても、同等の作用効果を奏することができる。
【００２８】
【発明の効果】
すなわち第１に、真直部とこれに結合したアームとだけで構成されるので、構造が極めて簡単であり、わずかなコストで大量生産が可能になる。第２に、第１の支持具を、所定の間隔を隔てて、かつ桟木支持アームの上端面の高さを合わせつつ地面に一列に打ち込んだ後で、桟木を桟木支持アームにはめ込むだけで、この桟木を水平に支持することができる。そして第２の支持具を適宜打ち込んで、桟木押さえアームを上方から桟木にはめ込んで押さえるだけで、この桟木が上方にずれるのを防止することができる。したがって従来のように、桟木を、釘やワイヤで一々杭に固定する手間が無用となり、取り扱いが極めて容易となる。
【００２９】
第３に、桟木支持アームと桟木押さえアームとは、真直部の上端面より下方に位置しているので、ハンマーで真直部の上端面を打ち込むときに、損傷させることがない。第４に、コンクリートの施工後は、第２の支持具、桟木、および第１の支持具を、この順序で抜き取るだけで、これらを容易に取り外すことができ、何度も再利用することができる。第５に、使用する桟木の寸法に対応させて、第１の支持具の桟木支持アームを形成することにより、この桟木支持アームの上端部がそれぞれ同一水平面になるように、この第１の支持具を打ち込むだけで、桟木を取付ける前に、この桟木の水平位置を設定することができる。またこの桟木支持アームの上端部と、割栗等の地業表面との間が所定の距離になるようにこの第１の支持具を打ち込むことにより、その後に施工するコンクリートの厚さと水平位置とを設定することができる。さらに桟木の取付け取り外しが容易になり、かつ桟木の横ぶれを押さえることができる。
【図面の簡単な説明】
【図１】第１の支持具の正面図である。
【図２】第２の支持具の正面図である。
【図３】他の第１の支持具の正面図である。
【図４】他の第２の支持具の正面図である。
【図５】真直部先端の他の形状を示す拡大正面図と側面図である。
【図６】捨てコンクリート用桟木の支持具の使用方法の説明図である。
【図７】捨てコンクリート用桟木の支持具の使用方法の他の説明図である。
【図８】他の捨てコンクリート用桟木の支持具の使用方法の説明図である。
【図９】従来例による捨てコンクリート用桟木の支持具の使用方法の説明図である。
【図１０】従来例による捨てコンクリート用桟木の支持具の使用方法の他の説明図である。
【図１１】従来例による捨てコンクリート用桟木の支持具の使用方法の他の説明図である。
【符号の説明】
１，１０１          第１の支持具
１１，１１１        真直部
１１ｂ，２１ｂ      上端面
１２，１１２        桟木支持アーム
１２ａ，１１２ａ    一辺
１２ｂ，１１２ｂ    端部
１２ｃ，１１２ｃ    他辺
２，１０２          第２の支持具
２１，１２１        真直部
２２，１２２        桟木押さえアーム
２２  ａ，１２２ａ    一辺
２２ｂ，１２２ｂ    端部
２２ｃ，１２２ｃ    他辺
３                  桟木
４                  捨てコンクリート
５                  割栗
【図１】
2004263411.tif 000003
【図２】
2004263411.tif 000004
【図３】
2004263411.tif 000005
【図４】
2004263411.tif 000006
【図５】
2004263411.tif 000007
【図６】
2004263411.tif 000008
【図７】
2004263411.tif 000009
【図８】
2004263411.tif 000010
【図９】
2004263411.tif 000011
【図１０】
2004263411.tif 000012
【図１１】
2004263411.tif 000013